(57)【要約】【課題】多様な表面模様と堅牢な表面処理を有する新規なゲーム用球体とその製法を提供する。【解決手段】その内面に硬質凹凸面を形成してなる有底容器を設け、該容器底面に底部中央から外周に向かって下降する傾斜面を設け、容器内面適所に凸部分を設けるとともに容器の側部と底部の逆方向回転手段を設けたことを特徴とする。【選択図】      図５
2005205137.tif 000002
【特許請求の範囲】
【請求項１】
任意の硬質素材にて形成された球体表面に微細凹凸を形成し、この凹凸面上に塗装処理を施したことを特徴とするゲーム用球体。
【請求項２】
任意の硬質素材にて球体を設け、該球体表面に微細凹凸を形成した後、該凹凸面上に塗装処理を施すことを特徴とするゲーム用球体の製法。
【請求項３】
その内面に硬質凹凸面を形成してなる回転筒と、中央から外周に向かって下降する傾斜面を有するとともにその上面に硬質凹凸面を有し、回転筒底部近傍に位置する回転板とを設け、回転筒の回転方向に対し逆方向に回転板が回転するための各々の回転手段を設けたことを特徴とする球体表面凹凸形成装置。
【請求項４】
その内面に各々硬質凹凸面と複数個の凸部を有するとともに、互いに逆方向に回転する回転筒と回転板からなる容器内に球体を投入することにより、容器内の球体を不規則に転動させて、球体表面と硬質凹凸面との接触摩擦にて球体表面に微細凹凸を形成させることを特徴とする球体表面凹凸形成法。
【発明の詳細な説明】
【技術分野】
【０００１】  この発明は、多様な模様と色彩をその表面に形成してなるゲーム用球体とその製法ならびに球体表面凹凸形成法とその装置に関する。
【背景技術】
【０００２】  従来より、合成樹脂を球形に成形し、着色してなるゲーム用球体としてのパークゴルフボールが多用されているが、本発明にて示すように、その表面に多様な模様と色彩を表現したパークゴルフボールは現在のところ見当たらない。
【発明の開示】
【発明が解決しようとする課題】
【０００３】  パークゴルフは、所定の大きさと重量を有するボールをクラブで打ち、最短打数でホールにカップインするゲームであり、通常は複数名がチームを組んでプレイするものである。
各チームは他のチームとプレイ場所が重ならないように、時間をずらしてスタートし、順に各ホールを回るのであるが、ときおりヒットした打球が他チームのプレイ場所に落ちることがある。このようなとき、各ボールが視覚的にその差異が容易にわかるものであればよいが、市販のパークゴルフボールは単色が多い上、目印がなく、しかも数種類が存在するのみである。
しかるにこの紛れ込んだ他チームのボールと、その場所でプレイしていたチームのボールが同一もしくは近似の色や模様であれば、各々のボールの判別が困難となって取り違えやすくなる。また、間違って他人のボールを打つとペナルティが課せられてしまい、このような場合に対する有力な手段が望まれている。
本発明は、以上のような従来からのパークゴルフボールに関わる課題を解決するために発明されたもので、多様な模様と色彩を用いて視覚的に多種類のパークゴルフボールを生み出して使用することにより、既述の問題を解消することを目的としたものである。
【課題を解決するための手段】
【０００４】  課題を解決する手段として本発明は、硬質凹凸面と棒状部材をその内面に有する回転円筒内に球体を投入して、球体表面に微細凹凸を形成した後、該凹凸面上に塗装処理を施すことをその主要部とした、
すなわち、本発明の第一は、任意の硬質素材にて形成された球体表面に微細凹凸を形成し、この凹凸面上に塗装処理を施したことを特徴とするゲーム用球体である。
本発明の第二は、任意の硬質素材にて球体を設け、該球体表面に微細凹凸を形成した後、該凹凸面上に塗装処理を施すことを特徴とするゲーム用球体の製法である。
本発明の第三は、その内面に硬質凹凸面を形成してなる回転筒と、中央から外周に向かって下降する傾斜面を有するとともにその上面に硬質凹凸面を有し、回転筒底部近傍に位置する回転板とを設け、回転筒の回転方向に対し逆方向に回転板が回転するための各々の回転手段を設けたことを特徴とする球体表面凹凸形成装置である。
本発明の第四は、その内面に各々硬質凹凸面と複数個の凸部を有するとともに、互いに逆方向に回転する回転筒と回転板からなる容器内に球体を投入することにより、容器内の球体を不規則に転動させて、球体表面と硬質凹凸面との接触摩擦にて球体表面に微細凹凸を形成させることを特徴とする球体表面凹凸形成法である。
【発明の効果】
【０００５】  本発明によれば、球体表面に微細凹凸を形成し、この凹凸面に塗装処理を行うため、パークゴルフボールなど打撃が加わる場合でも塗装面の剥離がなく、長期の使用を可能とするゲーム用球体を得ることができる。また、塗装において各色を用いて自由に模様を画くことにより、球体表面のバリエーションが生まれて、既述のようなボールの取り違えを防止することのできる、有用なるゲーム用球体とその製法ならびに球体表面凹凸形成法とその装置を提供することができる。そして、ボール表面に仕上げ塗装を施して鏡面仕上げとすることで、土、砂、露、雨などがボールに付着しにくく、芝の摩擦の影響を受けにくく、ボールの転がり具合を良好に保つことができる。
【発明を実施するための最良の形態】
【０００６】  以下、本発明の実施形態について説明する。
図において、１は合成樹脂成形後のパークゴルフボール、２は球体表面凹凸形成装置である。３は適宜厚の長方形状金属板による台板、４はその内部に段部を有する中空円筒状の軸保持台で、この段部にベアリングが嵌入保持され、該ベアリングに回転軸５が嵌入保持される。６は回転軸に固定される下部従動プーリー、７は下部従動プーリーのやや上方に位置し、内部にベアリングを有する上部従動プーリーでこのベアリングを介して回転軸に取り付けられる。
８は細長金属板による複数個の接続板で、その下端は上部従動プーリー上面外周近傍に４等配に固着され、上端は回転筒９の下端に固着される。この回転筒は上下部開口の円筒であり、その内側面には凹凸材１０が貼着される。この凹凸材は、高強度布材表面に金剛砂などの硬質微粒子を均一に固着させたものを、この微粒子固着面を表にして貼着したものである。１１は棒状凹凸材で、断面略半円形の棒状部材の表面に硬質微粒子を固着させたもので、その長さは前記回転筒の上縁から下縁に至り、曲面部分を露出させて回転筒内側面に８等配に固着される。１２は底面凹凸材で、平面視略Ｓ字形であるとともに断面略半円形の棒体であり、その表面には前記棒状凹凸材と同様に微細凹凸が形成され、回転板１３の上面に固着される。【０００７】  この回転板は平面視円形で、その中央から外周に向けて下降する傾斜面を有し、その中央は前記回転軸の上端に取り付けられる。また、この回転板上面には前記凹凸材と同様に硬質微粒子を固着した布材による凹凸材１４が貼着される。１５は円筒形の保護ケースで、回転筒側面を覆うように位置し、その下端と台板間には支柱１６が４等配で位置している。
１７はギヤードモーター（減速機構内蔵型モーター）で、適宜支持部材にて出力軸を上方にして台板上に取り付けられる。この出力軸には上部駆動プーリー１８と下部駆動プーリー１９が各々取り付けられる。また、上部駆動プーリーと上部従動プーリー間にはＶベルトによる上部ベルト２０が交差して巻回され、下部駆動プーリーと下部従動プーリー間にはＶベルトによる下部ベルト２１が交差せず平行に巻回される。
２２はベルトサポーターである。このベルトサポーターは、略コ字形板体の両端を上方に位置させるとともに、この両端部分を鈍角に少し折曲してなるローラーステー２３を設け、このローラーステー上部に円筒形のサポートローラー２４を軸支させたものであり、ローラーステー上部側面に内蔵されたベアリングにサポートローラー両端から伸びている軸部分が嵌入保持されたものであり、ローラーステー中間位置には補強板２５が固着される。
３０は加圧ケースで、金属材料による略半球状の中空部材であり、その内面はパークゴルフボールと同一の曲面であり、外面にはニクロム線を内包した加熱線３１が張り巡らされる。３２は任意の文字・図形・模様等を表現した合成樹脂シートによる粘着シールで、その裏面には粘着層が形成される。【０００８】  本発明によるパークゴルフボールを製造するには、まず表面塗装の施されていない球形のパークゴルフボールをいくつか用意する。次ぎに、このボール数個を回転筒と回転板により形成された容器内に投入し、モーター駆動にてこの容器を回転させる。投入されたボールは回転板の傾斜に沿って容器内外周近傍へと移動し、容器内面に貼着された凹凸材に接して転がりながら移動する。
この移動時においてボール表面と凹凸材との摩擦によってボール表面に微細な凹凸が形成される。この凹凸形成において、単なる円筒状内面に沿ってボールが転がるだけではボールの特定個所にのみ凹凸が形成されるため、本発明では棒状凹凸材と底面凹凸材を設けるとともに、回転筒と回転板を互いに逆方向に回転させてボール全面に凹凸が形成されるよう配慮した。
すなわち、上部ベルトはプーリーに交差巻回されているが、下部ベルトはプーリーに平行巻回されており、また上部従動プーリーはベアリングを介して回転軸に取り付けられ、下部従動プーリーは直に回転軸に取り付けられている。従って、下部従動プーリーは下部駆動プーリーと同一方向に回転し、上部従動プーリーは上部駆動プーリーと逆方向に回転する。また、上部従動プーリーは接続板を介して回転筒に、下部従動プーリーと同一方向に回転する回転軸は回転板に固定されている。従って、回転筒と回転板は互いに逆方向に回転することとなる。そのために、投入されたボールは回転筒内面と回転板上面に位置する硬質凹凸面に接しつつ転動しながら棒状凹凸材と底面凹凸材に当たってはじかれてその転動方向が不規則に変化し、所定時間の転動にてボール表面にむらなく微細凹凸が形成される。また、Ｓ字形の底面凹凸材を設けているので、曲面状の凹凸にて転動方向はさらに不規則性が増して良好な結果が得られる。【０００９】  既述の方法・装置にてパークゴルフボール表面に微細凹凸が形成されるが、これはボール表面に施す塗装の安定化を図るための手段である。凹凸の少ない表面への塗装も可能であるが、パークゴルフボールの場合にはクラブヘッドの打撃を受けてその打撃個所の塗装にひび割れが生じ、このひび割れにて塗装が剥がれ落ちる恐れがあるが、本発明のようにボール表面に微細な凹凸を施し、この凹凸表面に塗装することで塗料が凹凸面に入り込むこととなり、安定した塗装となって、打撃にも耐えうる塗装面が得られる。
なお、パークゴルフボール材質にはセルロース系樹脂、ポリエチレン系樹脂、ナイロン系樹脂、ポリプロピレン系樹脂、ウレタン系樹脂、アイオノマー系樹脂などが利用され、塗装顔料としてはメタリック系、ウレタン系、クリア系、ポリマー系などが用いられる。
本発明によるパークゴルフボール表面加工は以下の手順により行われる。
１．パークゴルフボール表面に微細な凹凸面を形成する。
２．パークゴルフボール表面に塗装処理を行う。この塗装処理は、吹き付け塗装であるが、各色を用いて多様でオリジナル性に富む模様・色彩により行う。
３．上記手段による塗装面の乾燥を待って、さらにその表面に微細な凹凸面を形成する。
４．この凹凸面上に透明顔料を用いて仕上げ塗装処理を行う。
以上の工程にて表面の保護された多様な模様・色彩を有するパークゴルフボールを得ることができる。【００１０】  図１０は本発明の他の例を示すものである。
本例はパークゴルフボールに、文字・図形・模様等を表したシールを設ける場合の例である。図１０における左図は微細凹凸を形成後のパークゴルフボールの一部に上記シールを粘着させ、これを中空半球状の加圧ケース３０に収める前の図であり、右図はボールを加圧ケース内に収納し、加熱しながら加圧している状態を示している。この加圧は万力による手動方式や機械装置による方式のいずれでもよい。加圧ケースは、その内面はパークゴルフボール外面と同一の曲面を有するが、加圧による加圧ケースの移動を考え、ボールの半球部分よりわずかに小さい内表面積である。
また、加圧ケース外面には加熱線３１が張り巡らされており、この加熱線に通電して発熱させ、シール面に対する加圧加熱を行うことで、シール裏面の粘着層が軟化するとともにパークゴルフボール表面の微細凹凸に入り込んでしっかりと粘着される。
その後、加圧ケース内からボールを取りだし、表面塗装を行う。このとき、シール部分には透明顔料による塗装を行ってシール表面を覆うことのないよう配慮する。
そして、既述のようにさらに微細凹凸処理後に透明顔料による仕上げ塗装を行って完成する。【００１１】  本発明の概要については既述したが、本発明は球体表面に多様な模様・色彩を施して個々の球体の判別を容易にしたところにその特徴がある。既述のように従来の球体としてのパークゴルフボールはその球体表面の模様・色彩が単純で種類が少なく、ボールの取り違えの恐れがあったが、本発明のボールは個々のボール表面に多様な模様・色彩を表現するため、個々のボールの視覚的判別が容易となって、ゲーム進行に有意義なものとなったのである。また、微細凹凸面上に塗装処理を施すため、打撃にも耐えうる表面となり、さらに仕上げ塗装により、滑らかなボール表面となってスムースなボールの転がりが得られるなど種々の利点のあるゲーム用球体が得られる。
なお、実施形態ではパークゴルフボールを対象として説明したが、これに限らず他の種々のゲームに用いる球体にも応用が可能である。
以上のごとく、本発明によってゲーム進行上において利便性のあるゲーム用球体とその製法ならびに球体表面凹凸形成法とその装置を得ることができる。
【図面の簡単な説明】
【００１２】
【図１】本発明の球体表面加工手順説明図
【図２】本発明の球体表面加工手順説明図（要部拡大）
【図３】本発明の球体表面凹凸形成装置の平面図
【図４】本発明の球体表面凹凸形成装置の正面図
【図５】本発明の球体表面凹凸形成装置の要部構造説明図
【図６】本発明の球体表面凹凸形成装置の要部構造説明図
【図７】本発明の球体表面凹凸形成装置におけるベルト巻回説明図（一部略）
【図８】本発明のベルトサポーターおよび関連部品の拡大正面図
【図９】本発明のベルトサポーターの要部構造説明図
【図１０】本発明の球体加圧加熱手段説明図
【符号の説明】
【００１３】  １  パークゴルフボール
２  球体表面凹凸形成装置
３  台板
４  軸保持台
５  回転軸
６  下部従動プーリー
７  上部従動プーリー
８  接続板
９  回転筒
１０  凹凸材
１１  棒状凹凸材
１２  底面凹凸材
１３  回転板
１４  凹凸材
１５  保護ケース
１６  支柱
１７  ギヤードモーター
１８  上部駆動プーリー
１９  下部駆動プーリー
２０  上部ベルト
２１  下部ベルト
２２  ベルトサポーター
２３  ローラーステー
２４  サポートローラー
３０  加圧ケース
３１  加熱線
３２  粘着シール
３３  凹凸加工前表面
３４  凹凸加工後表面
３５  塗料層
３６  微細凹凸加工表面
３７  仕上げ層
【図１】
2005205137.tif 000003
【図２】
2005205137.tif 000004
【図３】
2005205137.tif 000005
【図４】
2005205137.tif 000006
【図５】
2005205137.tif 000007
【図６】
2005205137.tif 000008
【図７】
2005205137.tif 000009
【図８】
2005205137.tif 000010
【図９】
2005205137.tif 000011
【図１０】
2005205137.tif 000012